(57)【要約】【課題】撮像から医用画像閲覧までのワークフローを改善することができる医用画像診断装置、医用画像撮像装置および医用画像表示装置を提供する。【解決手段】医用画像診断装置は、表示部と、入力部と、レイアウトパラメータ決定部と、撮像プロトコル決定部とを有する。表示部は、未実施の医用検査により取得される予定の医用画像に関する閲覧画面の設定画面を表示する。入力部は、医用画像のレイアウトに関する操作者からの設定操作が入力される。レイアウトパラメータ決定部は、入力された医用画像のレイアウトに関する設定操作に基づいて、医用画像に関するレイアウトパラメータを決定する。撮像プロトコル決定部は、決定されたレイアウトパラメータに基づいて、医用検査に関する撮像プロトコルを決定する。【選択図】      図１
2018068819.tif 000002
【特許請求の範囲】
【請求項１】
未実施の医用検査により取得される予定の医用画像に関する閲覧画面の設定画面を表示する表示部と、
前記閲覧画面における前記医用画像のレイアウトに関する操作者からの設定操作が入力される入力部と、
前記入力された前記医用画像のレイアウトに関する設定操作に基づいて、前記医用画像に関するレイアウトパラメータを決定するレイアウトパラメータ決定部と、
前記決定されたレイアウトパラメータに基づいて、前記医用検査に関する撮像プロトコルを決定する撮像プロトコル決定部と、
を具備する医用画像診断装置。
【請求項２】
前記決定されたレイアウトパラメータに基づいて、前記医用検査を実行するための撮像パラメータを決定する撮像パラメータ決定部をさらに具備し、
前記撮像プロトコル決定部は、前記決定された撮像パラメータを有する前記医用検査に関する撮像プロトコルを決定する請求項１記載の医用画像診断装置。
【請求項３】
前記表示部は、前記医用画像のレイアウトに関する設定操作を実行可能なグラフィックユーザインターフェースを前記設定画面に表示し、
前記入力部は、前記表示されたグラフィックユーザインターフェースに対する前記設定操作を入力する請求項２記載の医用画像診断装置。
【請求項４】
前記レイアウトパラメータと前記撮像パラメータとを関連付けたテーブルを記憶する記憶部をさらに具備し、
前記撮像パラメータ決定部は、前記決定されたレイアウトパラメータと前記テーブルとを利用して前記撮像パラメータを決定する
請求項３記載の医用画像診断装置。
【請求項５】
前記撮像プロトコル決定部は、前記決定された撮像パラメータに基づいて、少なくとも一つの前記撮像プロトコルを決定する請求項２記載の医用画像診断装置。
【請求項６】
前記レイアウトパラメータ決定部は、前記設定操作として前記医用画像における関心領域の拡大に関する設定操作が入力された場合、前記設定操作された医用画像における関心領域の拡大に関するレイアウトパラメータを決定し、
前記撮像プロトコル決定部は、前記決定された前記医用画像における関心領域の拡大に関するレイアウトパラメータに基づいて、前記撮像プロトコルを決定する請求項２記載の医用画像診断装置。
【請求項７】
前記レイアウトパラメータ決定部は、前記設定操作として前記医用画像のコントラストに関する設定操作が入力された場合、前記設定操作された医用画像のコントラストに関するレイアウトパラメータを決定し、
前記撮像プロトコル決定部は、前記決定された前記医用画像のコントラストに関するレイアウトパラメータに基づいて、前記撮像プロトコルを決定する請求項２記載の医用画像診断装置。
【請求項８】
前記レイアウトパラメータ決定部は、前記設定操作として前記医用画像の表示サイズに関する設定操作が入力された場合、前記設定操作された医用画像の表示サイズに関するレイアウトパラメータを決定し、
前記撮像プロトコル決定部は、前記決定された前記医用画像の表示サイズに関するレイアウトパラメータに基づいて、前記撮像プロトコルを決定する請求項２記載の医用画像診断装置。
【請求項９】
前記レイアウトパラメータ決定部は、前記設定操作として前記医用画像の画質に関する設定操作が入力された場合、前記設定操作された医用画像の画質に関するレイアウトパラメータを決定し、
前記撮像プロトコル決定部は、前記決定された前記医用画像の画質に関するレイアウトパラメータに基づいて、前記撮像プロトコルを決定する請求項２記載の医用画像診断装置。
【請求項１０】
前記表示部は、前記設定画面に模擬人体画像を表示し、
前記レイアウトパラメータ決定部は、前記操作者により前記入力部を介して行われた前記模擬人体画像に対する前記設定操作に基づいて、前記レイアウトパラメータを決定する、
請求項１記載の医用画像診断装置。
【請求項１１】
前記レイアウトパラメータ決定部は、前記医用画像に関するレイアウトが確定した場合に、前記確定されたレイアウトに対応するレイアウトパラメータを確定し、
前記撮像プロトコル決定部は、前記レイアウトパラメータ決定部における前記レイアウトパラメータの確定後に、前記撮像プロトコルを決定する
請求項１記載の医用画像診断装置。
【請求項１２】
前記レイアウトパラメータ決定部は、前記医用画像に関するレイアウトに関する操作者からの設定操作の入力に応じて、前記レイアウトパラメータをリアルタイムに変更し、
前記撮像プロトコル決定部は、前記レイアウトパラメータ決定部における前記レイアウトパラメータの変更に応じて、前記撮像プロトコルをリアルタイムに変更する
請求項１記載の医用画像診断装置。
【請求項１３】
前記撮像パラメータ決定部は、前記撮像パラメータとして、撮影部位と、画像解像度と、エネルギー帯と、画像のＳＤ値と、管電圧と、管電流と、エネルギー密度と、再構成条件とのうちの少なくとも一つを決定する請求項２記載の医用画像診断装置。
【請求項１４】
前記撮像プロトコル決定部は、前記レイアウトパラメータとして、非造影画像と、造影画像と、フォトンカウンティングＣＴ画像とのうちのいずれか一つのレイアウトパラメータを取得した場合、前記非造影画像と、前記造影画像と前記フォトンカウンティングＣＴ画像とを撮像するための前記撮像プロトコルを設定する請求項１記載の医用画像診断装置。
【請求項１５】
未実施の医用検査により取得される予定の医用画像に関する閲覧画面の設定画面における前記医用画像のレイアウトに関する設定操作に基づいて決定された、前記設定画面における前記医用画像に関するレイアウトパラメータに基づいて、前記医用検査に関する撮像プロトコルを決定する撮像プロトコル決定部と、
前記決定された撮像プロトコルに従って、被検体を撮像する撮像部と、
を具備する医用画像撮像装置。
【請求項１６】
未実施の医用検査により取得される予定の医用画像に関する閲覧画面の設定画面を表示する表示部と、
前記閲覧画面における前記医用画像のレイアウトに関する操作者からの設定操作を入力する入力部と、
前記入力された前記医用画像のレイアウトに関する設定操作に基づいて、前記医用画像に関するレイアウトパラメータを決定するレイアウトパラメータ決定部と、
前記決定されたレイアウトパラメータを前記レイアウトパラメータに基づいて前記医用検査に関する撮像プロトコルを決定する医用画像撮影装置へ転送する転送部と、
を具備する医用画像表示装置。
【請求項１７】
未実施の医用検査において実施される予定の撮像プロトコルの設定画面を表示する表示部と、
前記設定画面における前記医用検査の撮像プロトコルに関する操作者からの設定操作を入力する入力部と、
前記入力された前記医用検査の撮像プロトコルに関する設定操作に基づいて、前記未実施の医用検査により取得される予定の医用画像に関するレイアウトパラメータを決定するレイアウトパラメータ決定部と、
を具備する医用画像診断装置。
【請求項１８】
前記レイアウトパラメータ決定部は、前記医用画像における関心領域の拡大に関するレイアウトパラメータを決定する請求項１７記載の医用画像診断装置。
【請求項１９】
前記レイアウトパラメータ決定部は、前記医用画像のコントラストに関するレイアウトパラメータを決定する請求項１７記載の医用画像診断装置。
【発明の詳細な説明】
【技術分野】
【０００１】
本発明の実施形態は、医用画像診断装置、医用画像撮像装置および医用画像表示装置に関する。
【背景技術】
【０００２】
一般に、医用画像撮像装置では、被検体に対する医用検査が実行され、被検体に関する医用画像が取得される。また、医用画像表示装置では、上記医用画像撮像装置において取得された医用画像に対する画像処理および閲覧等が行われる。医用画像撮像装置と医用画像表示装置とは、基本的に独立して処理を実行している。このため、医用画像撮像装置と医用画像表示装置との間において、情報の共有は十分に行われていない。
【０００３】
例えば、医用画像撮像装置において、被検体に対する医用検査を実行する手順を示す撮像プロトコルが作成される。医用画像撮像装置は、当該撮像プロトコルに従って被検体に対する医用検査を実行する。しかしながら、上記医用画像撮像装置と医用画像表示装置とは独立して処理を実行しているため、医用画像撮像装置における撮像プロトコルの作成処理が医用画像表示装置における処理に影響を与えることは皆無である。
【０００４】
一方、医用画像表示装置において、上記医用画像を表示するための表示画面における当該医用画像のレイアウトが設定される。医用画像表示装置は、設定した医用画像のレイアウトに従って医用画像を表示する。しかしながら、上記医用画像撮像装置と医用画像表示装置とは独立して処理を実行しているため、医用画像表示装置における医用画像のレイアウトに関する設定処理が医用画像撮像装置における処理に影響を与えることは皆無である。
【先行技術文献】
【特許文献】
【０００５】
【特許文献１】特開２０１５−１９７８４号公報
【発明の概要】
【発明が解決しようとする課題】
【０００６】
本実施形態の目的は、撮像から医用画像閲覧までのワークフローを改善することができる医用画像診断装置、医用画像撮像装置および医用画像表示装置を提供することにある。
【課題を解決するための手段】
【０００７】
実施形態によれば、医用画像診断装置は、未実施の医用検査により取得される予定の医用画像に関する閲覧画面の設定画面を表示する表示部と、前記閲覧画面における前記医用画像のレイアウトに関する操作者からの設定操作が入力される入力部と、前記入力された前記医用画像のレイアウトに関する設定操作に基づいて、前記医用画像に関するレイアウトパラメータを決定するレイアウトパラメータ決定部と、前記決定されたレイアウトパラメータに基づいて、前記医用検査に関する撮像プロトコルを決定する撮像プロトコル決定部と、を具備する。
【図面の簡単な説明】
【０００８】
【図１】図１は、本実施形態に係る医用画像診断装置を示すブロック図である。
【図２】図２は、図１に示す医用画像診断装置において共有される情報を示す図である。
【図３】図３は、図１に示す医用画像表示装置の構成を示すブロック図である。
【図４】図４は、図１に示す医用画像撮像装置の構成を示すブロック図である。
【図５】図５は、本実施形態に係る医用画像診断装置の動作の流れを示すシーケンスである。
【図６】図６は、閲覧画面のレイアウト設定時において表示回路に表示されるＧＵＩの一例を示す図である。
【図７】図７は、図６に示すＡ処理の流れを示すフローチャートである。
【図８】図８は、図６に示すＢ処理の流れを示すフローチャートである。
【図９】図９は、図４に示す記憶回路に記憶される、複数のレイアウトパラメータと複数の撮像パラメータとの関連性の一例を示す図である。
【図１０】図１０は、図４に示す処理回路において決定された撮像プロトコルを示す図である。
【図１１】図１１は、図４に示す表示回路に表示される撮像プロトコル提示画面の一例を示す図である。
【図１２】図１２は、変形例１における医用画像診断装置の動作の流れを示すフローチャートである。
【図１３】図１３は、変形例２に係る医用画像診断装置において、医用画像表示装置の表示回路に表示される模擬人体画像の一例を示す図である。
【図１４】図１４は、変形例３に係る医用画像撮像装置の表示回路の表示画面の一例を示す図である。
【図１５】図１５は、変形例４に係る医用画像撮像装置の表示回路の表示画面の一例を示す図である。
【発明を実施するための形態】
【０００９】
以下、本実施形態に係る医用画像診断装置について、図面を参照して説明する。
【００１０】
図１は、本実施形態に係る医用画像診断装置１を示すブロック図である。図１に示す医用画像診断装置１は、病院や診療所等の医療機関における医用検査、当該医用検査により取得された医用画像に対する画像処理および閲覧等を実行するための装置を有する。例えば、図１に示す医用画像診断装置１は、医用画像表示装置２と、医用画像撮像装置３とを備える。医用画像表示装置２は、医用画像撮像装置３により撮像された医用画像を閲覧するためのコンピュータ（ビューワ）である。医用画像撮像装置３は、被検体に対する撮像を実行するための撮像装置である。本実施形態では、医用画像撮像装置３の一例として、Ｘ線コンピュータ断層撮影（ＣＴ：Computed Tomography）装置の構成を示す。なお、本実施形態において、医用画像撮像装置３の一例として、Ｘ線ＣＴ装置の構成を示すが、本実施形態はこれに限定されない。例えば、医用画像撮像装置３は、磁気共鳴イメージング（ＭＲＩ：Magnetic Resonance Imaging）診断装置、Ｘ線診断装置、核医学診断装置、および超音波診断装置等、他のモダリティであってもよい。
【００１１】
ここで、従来の医用画像診断装置において、例えば、医用画像を撮像するための撮像プロトコルは、医用画像撮像装置等において作成および管理される。また、医用画像に関する表示画面は、医用画像表示装置等において作成および管理される。それぞれの装置間での最終的な目的は同じ臨床診断であるものの、各々が独立した情報を保持している。そのため、各々で必要とされる医用画像の種類および取扱い方法等を把握しておく必要がある。
【００１２】
図２は、図１に示す医用画像診断装置１において共有される情報を示す図である。本実施形態に係る医用画像診断装置１は、各装置間で独立して作成および管理されていた情報を互いに共有している。例えば、図２に示すように、医用画像表示装置２と医用画像撮像装置３とは、医用画像に関する閲覧画面と、当該閲覧画面における医用画像に関するレイアウトパラメータと、医用検査を実行するための撮像パラメータと、当該撮像パラメータを有する撮像プロトコルとを共有している。
【００１３】
ここで、医用画像に関する閲覧画面とは、医用画像表示装置２における医用画像の閲覧時、あるいは医用画像の操作時に使用する画面のことである。
【００１４】
レイアウトパラメータとは、上記閲覧画面作成時において設定される、閲覧画面における医用画像のレイアウトに関するパラメータである。例えば、本実施形態におけるレイアウトパラメータは、医用画像における関心領域（ＲＯＩ：Region of Interest）の拡大率、表示される医用画像のコントラスト（ウィンドウ幅（ＷＷ：Window Width）およびウィンドウレベル（ＷＬ：Window Level））、表示サイズ（例えば、画像解像度）および画質に関するパラメータである。
【００１５】
撮像パラメータとは、医用検査において実行される撮像に関するパラメータである。本実施形態における撮像パラメータは、例えば、撮像条件（管電流、管電圧、収集スライス厚、回転速度、ビュー数、撮像タイミング、ＳＤ（Standard Deviation）値、エネルギー強度（管電流時間積）等）、再構成条件（再構成関数、再構成ＦＯＶ（Field of View）等）、撮像部位に関するパラメータである。フォトンカウンティングＣＴであれば、撮像パラメータとして、弁別すべきエネルギー帯に関するパラメータも含まれる。
【００１６】
撮像プロトコルは、一単位としてまとめて実行される複数のスキャンと、各スキャンの撮像パラメータとにより構成される。本実施形態に係るスキャンとしては、例えば、参照画像収集スキャン、モニタリングスキャン（プレップスキャン）、ノンヘリカルスキャン（例えば、非造影ボリュームスキャンおよび造影ボリュームスキャン）およびヘリカルスキャン（例えば、非造影ヘリカルスキャンおよび造影ヘリカルスキャン）等の既存の如何なるスキャンであってもよい。
【００１７】
本実施形態に係る医用画像診断装置１は、医用画像表示装置２において決定された閲覧画面のレイアウトに基づいて、当該レイアウトに最適な撮影プロトコルを作成可能としている。また、医用画像診断装置１は、医用画像撮像装置３において決定された撮像プロトコルに基づいて、当該撮像プロトコルに最適な閲覧画面を作成可能としている。本実施形態では、特に医用画像表示装置２において決定された閲覧画面のレイアウトに基づいて、当該レイアウトに最適な撮影プロトコルを作成する場合について記載する。
【００１８】
ここで、図１に示す医用画像表示装置２と、医用画像撮像装置３との構成について詳しく説明する。
【００１９】
図３は、図１に示す医用画像表示装置２の構成を示すブロック図である。例えば、医用画像表示装置２は、入力インターフェース（ＩＦ）回路２１と、通信インターフェース（ＩＦ）回路２２と、表示回路２３と、記憶回路２４と、表示装置制御回路２５と、処理回路２６とを有する。入力ＩＦ回路２１と、通信ＩＦ回路２２と、表示回路２３と、記憶回路２４と、表示装置制御回路２５と、処理回路２６とは、装置内に設けられたバスＢＵＳを介して相互に接続される。
【００２０】
入力ＩＦ回路２１は、トラックボール、スクロールホイール、スイッチボタン、マウス、キーボード、操作面へ触れることで入力操作を行うタッチパッド、および表示画面とタッチパッドとが一体化されたタッチパネルディスプレイ等によって実現される。入力ＩＦ回路２１は、操作者から受け取った入力操作を電気信号へ変換し表示装置制御回路２５へ出力する。なお、本実施形態において、入力ＩＦ回路２１は、トラックボール、スクロールホイール、スイッチボタン、マウス、キーボード等の物理的な操作部品を備えるものだけに限られない。例えば、装置とは別体に設けられた外部の入力機器から入力操作に対応する電気信号を受け取り、この電気信号を表示装置制御回路２５へ出力する電気信号の処理回路も入力ＩＦ回路２１の例に含まれる。
【００２１】
通信ＩＦ回路２２は、有線あるいは無線にて外部装置と通信するための通信機器である。外部装置は、例えば、放射線部門情報管理システム（ＲＩＳ：Radiological Information System）、病院情報システム（ＨＩＳ：Hospital Information System）およびＰＡＣＳ（Picture Archiving and Communication System）等のシステムに含まれるサーバ、あるいは他のワークステーションである。本実施形態において、通信ＩＦ回路２２は、図１に示す医用画像撮像装置３と通信する。
【００２２】
表示回路２３は、表示装置制御回路２５による制御に従い、種々のデータおよび上記医用画像等を表示する。表示回路２３は、表示インターフェース回路と表示機器とを有する。表示インターフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイ（Cathode Ray Tube Display）、液晶ディスプレイ（ＬＣＤ：Liquid Crystal Display）、有機ＥＬディスプレイ（ＯＥＬＤ：Organic Electro Luminescence Display）、プラズマディスプレイまたは当技術分野で知られている他の任意のディスプレイが適宜利用可能である。
【００２３】
記憶回路２４は、データを記憶可能なＨＤＤ（Hard Disk Drive）およびＳＳＤ（Solid State Drive）等である。記憶回路２４は、ＨＤＤ等の磁気ディスク以外にも、光磁気ディスクやＣＤ（Compact Disc）、ＤＶＤ（Digital Versatile Disc）等の光ディスクを利用してもよい。また、記憶回路２４の保存領域は、医用画像表示装置２内にあってもよいし、ネットワークＮＷで接続された外部記憶装置内にあってもよい。
【００２４】
表示装置制御回路２５は、ハードウェア資源として、ＣＰＵ（Central Processing Unit）およびＭＰＵ（Micro Processing Unit）等の所定のプロセッサと、ＲＯＭ（Read Only Memory）およびＲＡＭ（Random Access Memory）等の所定のメモリとにより実現される。表示装置制御回路２５のメモリは、制御プログラムを記憶する。表示装置制御回路２５のプロセッサは、メモリに記憶された制御プログラムを読み出す。表示装置制御回路２５のプロセッサは、読み出した制御プログラムを実行することで、医用画像表示装置２における各構成の動作および処理等を統括的に制御する。
【００２５】
処理回路２６は、ハードウェア資源として、ＣＰＵおよびＭＰＵ等の所定のプロセッサと、ＲＯＭおよびＲＡＭ等の所定のメモリとにより実現される。処理回路２６のメモリは、レイアウトパラメータ決定プログラムを記憶する。処理回路２６のプロセッサは、メモリに記憶されたレイアウトパラメータ決定プログラムを読み出す。処理回路２６のプロセッサは、読み出したレイアウトパラメータ決定プログラムを実行することで、レイアウトパラメータ決定機能２６１を実現する。レイアウトパラメータ決定機能２６１の実現により、処理回路２６は、入力ＩＦ回路２１を介して入力された医用画像のレイアウトに関する操作者からの設定操作に基づいて、閲覧画面における医用画像に関するレイアウトパラメータを決定する。
【００２６】
処理回路２６のメモリは、レイアウトパラメータ転送プログラムを記憶する。処理回路２６のプロセッサは、メモリに記憶されたレイアウトパラメータ転送プログラムを読み出す。処理回路２６のプロセッサは、読み出したレイアウトパラメータ転送プログラムを実行することで、レイアウトパラメータ転送機能２６２を実現する。レイアウトパラメータ転送機能２６２の実現により、処理回路２６は、決定したレイアウトパラメータを医用画像撮像装置３へ転送する。
【００２７】
処理回路２６のメモリは、ビューワプログラムを記憶する。処理回路２６のプロセッサは、メモリに記憶されたビューワプログラムを読み出す。処理回路２６のプロセッサは、読み出したビューワプログラムを実行することで、ビューワ機能２６３を実現する。ビューワ機能２６３の実現により、処理回路２６は、医用画像を閲覧可能にするためのアプリケーションを実行する。
【００２８】
図４は、図１に示すＸ線ＣＴ装置３の構成を示すブロック図である。図４に示すＸ線ＣＴ装置３は、例えば、架台４と、ＣＴコンソール５と、ＣＴ用寝台６とを備える。架台４は、ＣＴ用寝台６に載置された、臥位状態の被検体Ｓに対してＣＴスキャンを実行する装置である。例えば、架台４は、ＣＴコンソール５において決定された撮像プロトコルに応じたＣＴスキャンを実行する。架台４は、回転フレーム４７と、回転フレーム４７の開口の中心軸を回転軸として、回転自在に回転フレーム４７を支持するメインフレーム（固定フレーム）と、回転フレーム４７を回転駆動させる回転駆動装置（例えば、電動機）４８と、高電圧発生器４１と、Ｘ線源４２と、Ｘ線検出器４３と、データ収集回路（ＤＡＳ：Data Acquisition System）４４と、非接触データ伝送回路４５と、架台制御回路４６と、操作パネル４９とを有する。
【００２９】
回転フレーム４７は、Ｘ線源４２とＸ線検出器４３とを撮影領域を形成する開口を挟んで保持する。回転フレーム４７には、高電圧発生器４１と、Ｘ線源４２と、Ｘ線検出器４３と、ＤＡＳ４４と、非接触データ伝送回路４５の一部とが搭載される。回転フレーム４７は、回転駆動装置４８からの動力を受けて開口の中心軸回りに一定の角速度で回転する。回転フレーム４７の開口には、被検体Ｓを載置可能な天板６１が挿入される。回転フレーム４７の開口内には、撮像ＦＯＶ（field of view）が設定される。
【００３０】
回転駆動装置４８は、架台制御回路４６からの制御に従い、回転フレーム４７を回転させるための動力を発生する。回転駆動装置４８は、架台制御回路４６からの駆動信号のデューティ比等に応じた回転速度で駆動することにより動力を発生する。回転駆動装置４８は、例えば、ダイレクトドライブモータやサーボモータ等のモータにより実現される。回転駆動装置４８は、例えば、メインフレームに収容する。
【００３１】
高電圧発生器４１は、架台制御回路４６を介したＣＴコンソール５による制御に従い、スリップリング（slip ring）を介して架台４の電源装置（例えば、商用電源）から供給された電力から、Ｘ線源４２に印加する管電圧と、Ｘ線源４２に供給する管電流（フィラメント電流（Filament current））とを発生する。
【００３２】
Ｘ線源４２は、高電圧発生器４１からの管電圧の印加および管電流の供給を受け、Ｘ線の焦点から天板６１に載置された被検体Ｓへ照射するＸ線を発生する。例えば、Ｘ線源４２として、陽極と陰極が収納されるＸ線管が用いられる。
【００３３】
Ｘ線検出器４３は、回転軸を挟んでＸ線源４２に対峙する位置および角度で、回転フレーム４７に取り付けられる。Ｘ線検出器４３は、Ｘ線源４２から発生され被検体Ｓを透過したＸ線を検出する。
【００３４】
ＤＡＳ４４は、被検体Ｓにより減弱されたＸ線の強度を示すディジタルデータを１ビューごとに収集する。ＤＡＳ４４は、例えば、複数のＸ線検出素子の各々について設けられた積分器とアンプとＡ／Ｄ変換器とが並列して実装された半導体集積回路により実現される。ＤＡＳ４４は、架台４内においてＸ線検出器４３に接続されている。積分器は、Ｘ線検出素子からの電気信号を所定のビュー期間に亘り積分し、積分信号を生成する。アンプは、積分器から出力された積分信号を増幅する。Ａ／Ｄ変換器は、増幅された積分信号をＡ／Ｄ変換し、当該積分信号の波高値に対応するデータ値を有するディジタルデータを生成する。変換後のディジタルデータは、生データと呼ばれている。生データは、生成元のＸ線検出素子のチャンネル番号、列番号、および収集されたビューを示すビュー番号により識別されたＸ線強度のディジタル値のセットである。ＤＡＳ４４は、例えば、生データを非接触データ伝送回路４５へ伝送する。
【００３５】
非接触データ伝送回路４５は、磁気送受信手法、無線送受信手法、または光送受信手段を用いる伝送装置により実現される。非接触データ伝送回路４５は、ＤＡＳ４４で収集された生データをＣＴコンソール５へ伝送する。
【００３６】
ここで、上記架台４は、Ｘ線源４２と、Ｘ線検出器４３と、ＤＡＳ４４とを設置する回転フレーム４７、高電圧発生器４１、高電圧発生器４１に電力を供給する電源装置等だけでなく、ＣＴスキャンに必要なその他の種々の装置を収容してもよい。例えば、回転フレーム４７にはＸ線源４２を冷却する冷却装置が取り付けられてもよい。また、空調のためのファンが架台４に取り付けられてもよい。
【００３７】
架台制御回路４６は、ハードウェア資源として、ＣＰＵおよびＭＰＵ等の所定のプロセッサと、ＲＯＭおよびＲＡＭ等の所定のメモリとを有する。架台制御回路４６のプロセッサは、ＣＴコンソール５から出力される制御信号に応じて、架台４内に設けられる各構成の動作を統括的に制御する。
【００３８】
操作パネル４９は、スイッチボタン、操作面へ触れることで入力操作を行うタッチパッド、および表示画面とタッチパッドとが一体化されたタッチパネルディスプレイ等により実現される。操作パネル４９は、操作者から受け取った入力操作を電気信号へ変換し、架台制御回路４６へ出力する。
【００３９】
ＣＴコンソール５は、ＣＴスキャンを実行する架台４、およびＣＴスキャンの対象である被検体Ｓを載置するＣＴ用寝台６を制御するためのコンピュータ、またはワークステーションである。本実施形態に係るＣＴコンソール５は、例えば、画像再構成回路５１と、入力ＩＦ回路５２と、通信ＩＦ回路５３と、表示回路５４と、記憶回路５５と、コンソール制御回路５６と、処理回路５７とを有する。
【００４０】
画像再構成回路５１は、ハードウェア資源として、ＣＰＵおよびＧＰＵ（Graphical Processing Unit）等の所定のプロセッサと、ＲＯＭおよびＲＡＭ等の所定のメモリとにより実現される。画像再構成回路５１のメモリは、前処理プログラムを記憶する。画像再構成回路５１のプロセッサは、メモリに記憶された前処理プログラムを読み出す。画像再構成回路５１のプロセッサは、読み出した前処理プログラムを実行することで、前処理機能５１１を実現する。前処理機能５１１の実現により、画像再構成回路５１は、非接触データ伝送回路４５から出力された生データに対して前処理を施す。前処理を施された生データは、投影データと呼ばれる。前処理には、例えば、生データに対する対数変換処理、チャンネル間の感度不均一補正処理、Ｘ線強吸収体、主に金属部による極端な信号強度の低下または、信号脱落を補正する処理等が含まれる。
【００４１】
また、画像再構成回路５１のメモリは、再構成プログラムを記憶する。画像再構成回路５１のプロセッサは、メモリに記憶された再構成プログラムを読み出す。画像再構成回路５１のプロセッサは、読み出した再構成プログラムを実行することで、再構成機能５１２を実現する。再構成機能５１２の実現により、画像再構成回路５１は、上記投影データのセットに基づいて、ＣＴ画像を再構成する。画像再構成回路５１は、再構成されたＣＴ画像を記憶回路５５へ送信する。
【００４２】
入力ＩＦ回路５２は、トラックボール、スクロールホイール、スイッチボタン、マウス、キーボード、操作面へ触れることで入力操作を行うタッチパッド、および表示画面とタッチパッドとが一体化されたタッチパネルディスプレイ等の入力機器によって実現される。入力ＩＦ回路５２は、例えば、操作者から受け取った入力操作を電気信号へ変換し、コンソール制御回路５６へ出力する。なお、本実施形態において、入力ＩＦ回路５２は、トラックボール、スクロールホイール、スイッチボタン、マウス、キーボード等の物理的な操作部品を備えるものだけに限られない。例えば、装置とは別体に設けられた外部の入力機器から入力操作に対応する電気信号を受け取り、この電気信号をコンソール制御回路５６へ出力する電気信号の処理回路も入力ＩＦ回路５２の例に含まれる。
【００４３】
通信ＩＦ回路５３は、有線あるいは無線にて外部装置と通信するための回路である。外部装置は、例えば、モダリティ、ＲＩＳ、ＨＩＳおよびＰＡＣＳ等のシステムに含まれるサーバ、あるいは他のワークステーション等である。本実施形態において、通信ＩＦ回路５３は、架台４と接続される。
【００４４】
表示回路５４は、コンソール制御回路５６による制御に従い、種々のデータおよび上記医用画像等を表示する。表示回路５４は、表示インターフェース回路と表示機器とを有する。表示インターフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイ、液晶ディスプレイ、有機ＥＬディスプレイ、プラズマディスプレイまたは当技術分野で知られている他の任意のディスプレイが適宜利用可能である。
【００４５】
記憶回路５５は、比較的大容量のデータを記憶可能なＨＤＤ（Hard Disk Drive）およびＳＳＤ（Solid State Drive）等である。例えば、記憶回路５５は、画像再構成回路５１において再構成されたＣＴ画像を記憶する。記憶回路５５は、医用画像表示装置２から転送された医用画像に関するレイアウトパラメータを記憶する。記憶回路５５は、後述する処理回路５７において決定された撮像パラメータと、撮像プロトコルとを記憶する。記憶回路５５は、レイアウトパラメータと撮像パラメータとの関連性を記憶する。関連性は、例えば、ＬＵＴ（Look up Table）やデータベース等により規定される。以降、関連性はＬＵＴにより規定されているとし、当該ＬＵＴを関連性テーブルと呼ぶことにする。関連性テーブルは、医用画像表示装置２において決定されるレイアウトパラメータと医用画像撮像装置３において決定される撮像パラメータとの関連性を規定している。関連性テーブルは、レイアウトパラメータ毎に設けられている。関連性テーブルの内容は、操作者により入力ＩＦ回路５２を介して任意に設定および変更可能である。記憶回路５５は、ＨＤＤ等の磁気ディスク以外にも、光磁気ディスクと、ＣＤ（Compact Disc）、ＤＶＤ（Digital Versatile Disc）等の光ディスクとを利用してもよい。また、記憶回路５５の保存領域は、Ｘ線ＣＴ装置１内にあってもよいし、ネットワークで接続された外部記憶装置内にあってもよい。
【００４６】
コンソール制御回路５６は、ハードウェア資源として、ＣＰＵおよびＭＰＵ等の所定のプロセッサと、ＲＯＭおよびＲＡＭ等の所定のメモリとにより実現される。表示装置制御回路２５のメモリは、制御プログラムを記憶する。表示装置制御回路２５のプロセッサは、メモリに記憶された制御プログラムを読み出す。表示装置制御回路２５のプロセッサは、読み出した制御プログラムを実行することで、ＣＴコンソール５における各構成の動作および処理等を統括的に制御する。具体的には、コンソール制御回路５６は、所定のスキャンシーケンスに従って撮影を行うよう、スリップリングを介した高電圧発生器４１への電力供給を制御する。また、コンソール制御回路５６は、架台制御回路４６を介して回転駆動装置４８を制御することで、回転フレーム４７を回転させる。コンソール制御回路５６は、寝台駆動装置６２を制御することで天板６１を移動させる。天板６１の移動により天板６１に載置された被検体Ｓが回転軸に沿って移動される。
【００４７】
処理回路５７は、ハードウェア資源として、ＣＰＵおよびＧＰＵ等の所定のプロセッサと、ＲＯＭおよびＲＡＭ等の所定のメモリとにより実現される。処理回路５７のメモリは、撮像パラメータ決定プログラムを記憶する。処理回路５７のプロセッサは、メモリに記憶された撮像パラメータ決定プログラムを読み出す。処理回路５７のプロセッサは、読み出した撮像パラメータ決定プログラムを実行することで、撮像パラメータ決定機能５７１を実現する。撮像パラメータ決定機能５７１の実現により、処理回路５７は、記憶回路５５に記憶されたレイアウトパラメータに基づいて、医用検査を実行するための撮像パラメータを決定する。
【００４８】
処理回路５７のメモリは、撮像プロトコル決定プログラムを記憶する。処理回路５７のプロセッサは、メモリに記憶された撮像プロトコル決定プログラムを読み出す。処理回路５７のプロセッサは、読み出した撮像プロトコル決定プログラムを実行することで、撮像プロトコル決定機能５７２を実現する。撮像プロトコル決定機能５７２の実現により、処理回路５７は、決定された撮像パラメータを有する撮像プロトコルを決定する。
【００４９】
ＣＴ用寝台６は、被検体Ｓを載置する天板６１と、寝台駆動装置６２とを有する。天板６１は、回転フレーム４７の中心軸に沿って移動可能にＣＴ用寝台６に支持される。ここで、天板６１に載置された被検体Ｓの体軸が回転フレーム４７の中心軸に一致するように、天板６１が位置決めされる。
【００５０】
寝台駆動装置６２は、架台制御回路４６を介したＣＴコンソール５による制御、または架台制御回路４６による制御に従い、天板６１を移動する。例えば、寝台駆動装置６２は、天板６１に載置された被検体Ｓの体軸が回転フレーム４７の開口の中心軸に一致するよう、天板６１を被検体Ｓに対して直交方向に移動する。また、寝台駆動装置６２は、架台４を用いて実行されるＣＴスキャンに応じて、天板６１を被検体Ｓの体軸方向に沿って移動する。
【００５１】
ここで、本実施形態に係る医用画像診断装置１の動作について、詳しく説明する。
【００５２】
図５は、本実施形態に係る医用画像診断装置１の動作の流れを示すシーケンスである。図５は、撮像開始前に医用画像に関する閲覧画面を設定し、当該設定した閲覧画面に医用画像を表示するまでの医用画像表示装置２と医用画像撮像装置３とにおける処理の流れを示している。
【００５３】
ステップＳＦ１において、医用画像表示装置２の表示回路２３は、撮像開始前に、医用画像に関する閲覧画面の設定画面を表示する。例えば、表示回路２３は、当該医用画像に関する閲覧画面の設定画面として、医用画像のレイアウトに関する設定操作を実行可能なグラフィックユーザインターフェース（Graphical User Interface、以降、ＧＵＩと記載する。）を表示する。
【００５４】
図６は、閲覧画面のレイアウト設定時において表示回路２３に表示されるＧＵＩの一例を示す図である。表示回路２３の表示画面Ｄ１には、医用画像に関する閲覧画面の設定画面が表示される。設定画面は、表示させる医用画像の種類を設定するためのアイコン等を表示する表示領域ＡＧと、閲覧画面のレイアウトを設定するためのレイアウト領域ＡＬとを有する。ここで、閲覧画面に表示可能な医用画像の種類は、医用装置で取得可能な医用画像全般である。医用画像の種類を設定することで、医用画像撮像装置３で決定される撮像プロトコルを構成するスキャンを特定することができる。
【００５５】
また、表示回路２３の表示画面Ｄ１には、ポインタＰおよびボタンＳＷが表示される。操作者は、入力ＩＦ回路２１を介してポインタＰを操作することで、直感的に閲覧画面に関する設定操作を入力する。例えば、操作者は、入力ＩＦ回路２１を介してポインタＰを操作し、表示領域ＡＧに表示されたアイコンをレイアウト領域ＡＬにドラックアンドドロップする。これにより、レイアウト領域ＡＬに医用画像を表示するための表示領域を設定する。具体的には、レイアウト領域ＡＬに、被検体Ｓの「頭部」を撮像した「スライス厚：５．０ｍｍ」の「二次元非造影アキシャル断面画像」を「ウィンドウ幅：８０」および「ウィンドウレベル：３５」で表示するための表示領域ＡＬ１を設定する。また、レイアウト領域ＡＬに、被検体Ｓの「頭部」を撮像した「スライス厚：５．０ｍｍ」の「二次元造影アキシャル断面画像」を「ウィンドウ幅：８０」および「ウィンドウレベル：３５」で表示するための表示領域ＡＬ２を設定する。
【００５６】
また、操作者は、入力ＩＦ回路２１を介して、医用画像におけるＲＯＩの拡大率、表示される医用画像のコントラスト、表示サイズ、および画質等、医用画像のレイアウトに関する設定操作を入力する。また、操作者は、ポインタＰを操作してボタンＳＷを押下することで、上記閲覧画面のレイアウトを確定する。これにより、操作者は、入力ＩＦ回路２１を介して、直感的に医用画像のレイアウトに関する設定操作を入力し、設定された閲覧画面を確定することができる。
【００５７】
ここで、表示画面Ｄ１には、上記以外に、設定された表示領域に関する情報を表示してもよい。例えば、撮像する部位（頭部）、表示する医用画像の種類（非造影画像および造影画像）、医用画像の表示条件（ウィンドウ幅およびウィンドウレベル）、表示する医用画像の断面（アキシャル断面）、スライス厚、臨床アプリケーションに関する後処理等に関する情報を表示してもよい。
【００５８】
ステップＳＦ２において、医用画像表示装置２の処理回路２６は、Ａ処理を実行する。本実施形態におけるＡ処理において、処理回路２６は、レイアウトパラメータを決定する。図７は、図６に示すＡ処理の流れを示すフローチャートである。
【００５９】
ステップＳａ１において、処理回路２６には、上記医用画像のレイアウトに関する操作者からの設定操作が入力される。ステップＳａ２において、処理回路２６は、レイアウトパラメータ決定機能２６１として、入力された医用画像のレイアウトに関する設定操作に基づいて、表示画面における医用画像に関するレイアウトパラメータを決定する。
【００６０】
具体的には、医用画像におけるＲＯＩの拡大率に関する設定操作が入力された場合、処理回路２６は、設定操作された医用画像におけるＲＯＩの拡大率に関するレイアウトパラメータを決定する。また、表示される医用画像のコントラストに関する設定操作が入力された場合、処理回路２６は、設定操作された医用画像のコントラストに関するレイアウトパラメータを決定する。また、医用画像の表示サイズに関する設定操作が入力された場合、処理回路２６は、設定操作された医用画像の表示サイズに関するレイアウトパラメータを決定する。また、医用画像の画質に関する設定操作が入力された場合、処理回路２６は、設定操作された医用画像の画質に関するレイアウトパラメータを決定する。
【００６１】
上記設定操作に基づいてレイアウトパラメータを決定する処理を、操作者による閲覧画面の確定操作が入力されるまで繰り返す（ステップＳＦ３およびＳＦ４）。上記処理を繰り返すことで、医用画像表示装置２において、医用画像に関する閲覧画面を作成する。また、作成した閲覧画面における医用画像に関するレイアウトパラメータを決定する。当該閲覧画面とレイアウトパラメータとは、記憶回路２４に記憶される。
【００６２】
操作者による閲覧画面の確定操作が入力された後、ステップＳＦ５において、処理回路２６は、レイアウトパラメータ転送機能２６２として、記憶回路２４に記憶された閲覧画面とレイアウトパラメータとを医用画像撮像装置３へ転送する。転送された表示画面とレイアウトパラメータとは、記憶回路５５に記憶される。
【００６３】
ステップＳＦ６において、医用画像撮像装置３の処理回路５７は、Ｂ処理を実行する。本実施形態におけるＢ処理において、処理回路５７は、撮像パラメータと撮像プロトコルとを決定する。図８は、図６に示すＢ処理の流れを示すフローチャートである。
【００６４】
ステップＳｂ１において、処理回路５７は、記憶回路５５に記憶されたレイアウトパラメータを読み出す。ステップＳｂ２において、処理回路５７は、撮像パラメータ決定機能５７１として、読み出されたレイアウトパラメータに基づいて、医用検査を実行するための撮像パラメータを決定する。
【００６５】
図９は、図４に示す記憶回路５５に記憶される、複数のレイアウトパラメータと複数の撮像パラメータとの関連性の一例を示す図である。図９に示すように、レイアウトパラメータは、医用画像の解像度および画質に関する１または複数の撮像パラメータとの関連性を有している。具体的には、医用画像の表示サイズは、再構成ＦＯＶおよびビュー数等と関連性がある。医用画像のコントラストは、ＳＤ値、Ｘ線線量および再構成関数等と関連性がある。医用画像の画質は、Ｘ線線量、再構成関数およびビュー数等と関連性がある。医用画像におけるＲＯＩの拡大率は、Ｘ線線量、再構成関数、ビュー数および収集スライス厚等と関連性がある。
【００６６】
具体的には、処理回路５７は、医用画像におけるＲＯＩの拡大率に関するレイアウトパラメータを記憶回路５５から読み出す。処理回路５７は、読み出した医用画像におけるＲＯＩの拡大率に関するレイアウトパラメータと上記ＬＵＴとを利用して、医用画像におけるＲＯＩの拡大率に関するレイアウトパラメータに関連する撮像パラメータを決定する。
【００６７】
また、処理回路５７は、医用画像のコントラストに関するレイアウトパラメータを記憶回路５５から読み出す。処理回路５７は、読み出した医用画像のコントラストに関するレイアウトパラメータと上記ＬＵＴとを利用して、医用画像のコントラストに関するレイアウトパラメータに関連する撮像パラメータを決定する。
【００６８】
また、処理回路５７は、医用画像の表示サイズに関するレイアウトパラメータを記憶回路５５から読み出す。処理回路５７は、読み出した医用画像の表示サイズに関するレイアウトパラメータと上記ＬＵＴとを利用して、医用画像の表示サイズに関するレイアウトパラメータに関連する撮像パラメータを決定する。
【００６９】
また、処理回路５７は、医用画像の画質に関するレイアウトパラメータを記憶回路５５から読み出す。処理回路５７は、読み出した医用画像の画質に関するレイアウトパラメータと上記ＬＵＴとを利用して、医用画像の画質に関するレイアウトパラメータに関連する撮像パラメータを決定する。
【００７０】
ここで、レイアウトパラメータと撮像パラメータとは、任意の対応関係を有する。例えば、レイアウトパラメータが変更された場合、撮像パラメータは、線形または非線形関数で変更する。
【００７１】
ステップＳｂ３において、処理回路５７は、決定された撮像パラメータを有する撮像プロトコルを決定する。図１０は、図４に示す処理回路５７において決定された撮像プロトコルを示す図である。撮像プロトコルは、医用画像表示装置２において設定された医用画像の種類によって定まるスキャンおよび当該スキャンごとの造影剤の有無と、複数の撮像パラメータとにより構成される。図１０に示すように、本実施形態では、撮像プロトコル（１）として、参照画像収集スキャン、非造影ボリュームスキャン、モニタリングスキャンおよび造影ボリュームスキャンが実行される。さらに、処理回路５７において決定された撮像パラメータがスキャンごとに設定される。
【００７２】
ステップＳＦ７において、医用画像撮像装置３は、決定した撮像プロトコルを確定するか否かを判定する。図１１は、図４に示す表示回路５４に表示される撮像プロトコル提示画面の一例を示す図である。図１１に示すように、表示回路５４の表示画面Ｄ２には、撮像プロトコル提示画面が表示される。撮像プロトコル提示画面は、記憶回路５５から読み出された閲覧画面を表示するための表示領域ＡＩと、決定された撮像プロトコルを表示するための表示領域ＡＰとを有する。表示領域ＡＩのうちの表示領域ＡＳ１は、上記表示領域ＡＬ１に対応する。また、表示領域ＡＩのうちの表示領域ＡＳ２は、上記表示領域ＡＬ２に対応する。
【００７３】
操作者は、図１１に示す撮像プロトコル提示画面を参照して、撮像プロトコルを確定するか否かを判定する。例えば、入力ＩＦ回路５２を介してポインタＰを操作し、表示された撮像プロトコルの表示領域ＡＰをクリックする。ステップＳＦ８において、医用画像撮像装置３は、表示領域ＡＰのクリックを契機として撮像プロトコルを確定する。撮像プロトコルの確定後、当該撮像パラメータと撮像プロトコルとは、記憶回路５５に記憶される。
【００７４】
ステップＳＦ９において、医用画像撮像装置３は、確定した撮像プロトコルに対応する撮像を実行する。例えば、図１１に示す撮像プロトコルに沿って撮像を実行する場合、まず、参照画像収集スキャンが実行される。参照画像収集スキャンは、モニタリングスキャンのためのＲＯＩの設定に用いられる参照画像を収集するためのスキャンである。参照画像収集スキャンを実行することで、医用画像撮像装置３は、参照画像を取得する。取得した参照画像は、記憶回路５５に記憶される。
【００７５】
次に、非造影ボリュームスキャンが実行される。非造影ボリュームスキャンは、被検体Ｓの撮像部位が造影剤により造影される前に実行される当該撮像部位を対象とするボリュームスキャンである。非造影ボリュームスキャンを実行することで、医用画像撮像装置３は、非造影ＣＴ画像を取得する。取得した非造影ＣＴ画像は、記憶回路５５に記憶される。
【００７６】
次に、モニタリングスキャンが実行される。モニタリングスキャンは、被検体Ｓの撮像部位が造影剤により適切に強調されたタイミングで造影ボリュームスキャンを行うために、当該タイミングを検出するために実行されるスキャンである。モニタリングスキャンを実行することで、医用画像撮像装置３は、モニタリング画像を取得する。取得したモニタリング画像は、記憶回路５５に記憶される。
【００７７】
次に、造影ボリュームスキャンを実行する。造影ボリュームスキャンは、被検体Ｓの撮像部位が造影剤により適切に造影されている最中に実行される当該撮像部位を対象とするボリュームスキャンである。造影ボリュームスキャンを実行することで、医用画像撮像装置３は、造影ＣＴ画像を取得する。取得した造影ＣＴ画像は、記憶回路５５に記憶される。これにより、医用画像表示装置２の上記閲覧画面に表示する医用画像を取得する。
【００７８】
ステップＳＦ１０において、医用画像撮像装置３は、撮像した医用画像を医用画像表示装置２へ転送する。このとき、医用画像撮像装置３は、医用画像と共に、当該医用画像に対応する撮像パラメータを転送する。ステップＳＦ１１において、医用画像表示装置２は、設定された閲覧画面に転送された医用画像を表示する。
【００７９】
上記構成によれば、本実施形態に係る医用画像診断装置１において、レイアウトパラメータと撮像パラメータとの間に関連性がある。当該関連性を利用して、医用画像診断装置１は、閲覧画面における医用画像に関するレイアウトパラメータから撮像パラメータを決定し、当該決定された撮像パラメータを有する撮像プロトコルを決定する。これにより、検査目的ベースでの撮影プロトコルの設定ができるようになり、効率的な閲覧環境を提供することができる。さらに、検査目的に応じて診断機器ごとに最適な撮像条件および再構成条件を提示することが可能になるため、操作者の経験に依存しない操作性を実現することができる。また、閲覧時に寄与しない撮像条件および再構成条件の最適化も容易に行うことができるため、患者に対する過剰な被曝、エネルギー照射の抑制、再構成画像の増大の抑制等の効果が得られる。したがって、本実施形態に係る医用画像診断装置１は、撮像プロトコルの設定から閲覧までのトータルとしての検査効率を向上することができる。
【００８０】
なお、閲覧画面のレイアウト作成時、読影する内容に応じて、撮像もしくは再構成時に必要なエネルギーを算出してもよい。例えば、フォトンカウンティングＣＴの場合、弁別すべきエネルギー帯を計算し、必要となる物質が特定できるように撮像もしくは再構成条件を調整した撮像プロトコルを作成してもよい。
【００８１】
また、閲覧画面のレイアウト作成時、閲覧画面における特定の位置に配置された医用画像を小さく表示するようにレイアウトが設定された場合、医用画像診断装置１は、上記特定の位置に配置された医用画像を参照用画像と判断し、被検体に対する被曝線量もしくはエネルギー照射を抑えた撮像を実行するよう、撮像プロトコルを作成してもよい。
【００８２】
また、閲覧画面のレイアウト作成時、臨床アプリケーション等の後処理の情報が追加された場合、医用画像診断装置１は、当該後処理で必要になる画像群から必要となる撮像を計算し、撮影プロトコルに設定してもよい。
【００８３】
また、撮影済みの生データ群に対して、閲覧画面のレイアウトを選択すると、選択された閲覧画面のレイアウトに最適となる再構成条件を生成し、当該生成した再構成条件に従って医用画像の作成を行う。作成された医用画像は選択された閲覧画面のレイアウトに基づいて自動的に表示される。閲覧画面のレイアウトの選択に関しては、手動でもよいし、検査内容に応じて決定されてもよい。
【００８４】
（変形例１）
上記実施形態に係る医用画像診断装置１は、医用画像表示装置２において閲覧画面を作成および確定した後、医用画像撮像装置３において撮像プロトコルを作成および確定しているが、本実施形態はこれに限定されない。変形例１における医用画像診断装置１は、閲覧画面における医用画像のレイアウトの変更に応じて、撮影プロトコルをリアルタイムに変更および表示することが可能である。図１２は、変形例１における医用画像診断装置１の動作の流れを示すフローチャートである。ここで、説明の便宜上、一方の装置において、医用画像に関する閲覧画面の設定画面の表示から閲覧画面および撮像プロトコルの確定までを行うこととする。例えば、変形例１では、医用画像撮像装置３において医用画像に関する閲覧画面の設定画面の表示から閲覧画面および撮像プロトコルの確定までを行うこととする。なお、上記実施形態と重複する記載については、詳細な記載を省略し、必要に応じて適宜記載する。
【００８５】
ステップＳＳ１において、医用画像撮像装置３の表示回路５４は、撮像開始前に、医用画像に関する閲覧画面の設定画面を表示する。ステップＳＳ２において、医用画像撮像装置３は、Ａ処理を実行する。上記実施形態ではＡ処理完了後に閲覧画面を確定している。変形例１では、Ａ処理完了後に閲覧画面を確定せず、次のステップへ移行する。ステップＳＳ３において、医用画像撮像装置３は、Ｂ処理を実行する。すなわち、変形例１における医用画像診断装置１は、閲覧画面における医用画像のレイアウト変更に合わせてリアルタイムに撮影プロトコルの生成および修正を行う。
【００８６】
ステップＳＳ４〜ステップＳＳ６を経て、医用画像撮像装置３は、閲覧画面と撮像プロトコルとを確定する。
【００８７】
上記構成によれば、変形例１に係る医用画像診断装置１によって、操作者は、リアルタイムに生成される撮像プロトコルを同一ウィンドウ内もしくは別ウィンドウ内にて確認することができる。
【００８８】
ここで、生成された撮影プロトコルは手動での設定操作にも対応することが可能である。また、閲覧画面確定後、自動生成もしくは手動修正した撮影プロトコルに対してレイアウト情報を付加する。表示レイアウトの再編集時にはこのレイアウトと紐づけられた撮影プロトコルに対しても再度最適な撮像パラメータを更新してもよい。
【００８９】
（変形例２）
上記実施形態に係る医用画像診断装置１において、医用画像表示装置２は、表示回路２３に当該医用画像に関する閲覧画面の設定画面として、医用画像のレイアウトに関する設定操作を実行可能なＧＵＩを表示し、医用画像のレイアウトに関する設定操作の入力を促しているが、本実施形態はこれに限定されない。変形例２に係る医用画像診断装置１において、表示回路２３は、上記設定画面に模擬人体画像を表示してもよい。図１３は、変形例２に係る医用画像診断装置１において、表示回路２３に表示される模擬人体画像ＩＭＧの一例を示す図である。本実施形態における模擬人体画像ＩＭＧは、上記医用画像のレイアウトに関する設定操作をポインタＰ等を用いて直接入力することが可能な画像であり、上記医用画像のレイアウトに関する設定操作をグラフィカルに表現することが可能である。
【００９０】
具体的には、医用画像におけるＲＯＩの拡大率に関する設定操作を入力する場合、図１３に示す模擬人体画像にＲＯＩを設定し、設定したＲＯＩを拡大する。医用画像のコントラストに関する設定操作を入力する場合、図１３に示す模擬人体画像のコントラストを調整する。医用画像の表示サイズに関する設定操作を入力する場合、図１３に示す模擬人体画像の表示サイズを変更する。医用画像の画質に関する設定操作を入力する場合、図１３に示す模擬人体画像の解像度等を変更する。
【００９１】
処理回路２６は、レイアウトパラメータ決定機能２６１として、操作者により入力ＩＦ回路２１を介して行われた模擬人体画像に対する設定操作に基づいて、レイアウトパラメータを決定してもよい。
【００９２】
なお、図１３に示す模擬人体画像は、二次元断面画像であるが、変形例２はこれに限定されない。例えば、図１３に示す二次元断面画像に限らず、医用装置で取得可能な医用画像に対応する模擬人体画像であってもよい。また、二次元画像に限らず、三次元画像、あるいは四次元画像であってもよい。
【００９３】
（変形例３）
上記実施形態に係る医用画像診断装置１では、図１１に示すように、Ｘ線ＣＴ装置に関する１つの撮像プロトコルが提示されているが、本実施形態はこれに限定されない。図１４は、変形例３に係る表示回路５４の表示画面の一例を示す図である。図１４に示すように、変形例３に係る医用画像診断装置１は、例えば、撮影プロトコルを複数提示してもよい。また、閲覧画面のレイアウトに合致する医用画像が得られる適応度の高い撮像プロトコルに絞って提示してもよい。また、閲覧画面のレイアウト作成時、撮像する装置に合わせた撮像プロトコルの作成を行い、異なる機種間での撮影プロトコルの提示を行ってもよい。例えば、Ｘ線ＣＴ装置の場合、装置間での検出器列数の違いを用いて、それぞれの装置向けの撮影プロトコルを作成してもよい。
【００９４】
（変形例４）
図１５は、変形例４に係る表示回路５４の表示画面の一例を示す図である。図１５に示すように、変形例４に係る医用画像診断装置１は、例えば、異なるモダリティでの撮影プロトコルの提示を行ってもよい。また、Ｘ線ＣＴ装置の他に、ＭＲＩ装置、Ｘ線診断装置、核医学診断装置、および超音波診断装置等、異なるモダリティで撮像する場合の撮像プロトコルを作成してもよい。ここで、複数のプロトコルの作成は自動的、もしくは操作者の手動選択によって行われる。閲覧画面のレイアウトの設定によっては、フュージョン画像のように複数モダリティに亘る撮像プロトコルの作成を行ってもよい。
【００９５】
（総括）  
上記の説明の通り、本実施形態に係る医用画像診断装置は、表示回路と、入力ＩＦ回路と、処理回路とを有する。表示回路は、未実施の医用検査により取得される予定の医用画像に関する閲覧画面の設定画面を表示する。入力ＩＦ回路は、医用画像のレイアウトに関する操作者からの設定操作が入力される。処理回路は、レイアウトパラメータ決定機能として、入力された医用画像のレイアウトに関する設定操作に基づいて、医用画像に関するレイアウトパラメータを決定する。また、処理回路は、撮像プロトコル決定機能として、決定されたレイアウトパラメータに基づいて、医用検査に関する撮像プロトコルを決定する。
【００９６】
上記の構成により、本実施形態に係る医用画像診断装置は、閲覧画面における医用画像に関するレイアウトパラメータに基づいて、撮像プロトコルを決定する。これにより、検査目的ベースでの撮影プロトコルの設定ができるようになり、効率的な閲覧環境を提供することができる。
【００９７】
かくして、本実施形態に係る医用画像診断装置は、撮像から医用画像閲覧までのワークフローを改善することができる。
【００９８】
なお、上記に示す通り、本実施形態におけるレイアウトパラメータと撮像パラメータとの間に関連性がある。すなわち、当該関連性を利用して、撮像プロトコルからレイアウトパラメータを決定してもよい。例えば、表示回路は、未実施の医用検査において実施される予定の撮像プロトコルの設定画面を表示する。入力ＩＦ回路には、設定画面における医用画像の撮像プロトコルに関する操作者からの設定操作が入力される。処理回路は、入力された医用画像の撮像プロトコルに関する設定操作に基づいて、未実施の医用検査により取得される予定の医用画像に関するレイアウトパラメータを決定する。
【００９９】
また、上記実施形態に係る医用画像診断装置１は、医用画像表示装置２の表示回路２３に表示された閲覧画面に関するレイアウトパラメータに基づいて、撮像プロトコルを決定しているが、本実施形態はこれに限定されない。例えば、ＣＴコンソール５の表示回路５４における表示画面に関するレイアウトパラメータに基づいて、撮像プロトコルを決定してもよい。
【０１００】
また、上記説明において用いた「所定のプロセッサ」という文言は、例えば、専用又は汎用のprocessor、circuit(circuitry)、processing circuit(circuitry)、operation circuit(circuitry)、arithmetic circuit(circuitry)、あるいは、特定用途向け集積回路（ＡＳＩＣ：Application Specific Integrated Circuit）、プログラマブル論理デバイス（例えば、単純プログラマブル論理デバイス（ＳＰＬＤ：Simple Programmable Logic Device）、複合プログラマブル論理デバイス（ＣＰＬＤ：Complex Programmable Logic Device）、及びフィールドプログラマブルゲートアレイ（ＦＰＧＡ：Field Programmable Gate Array）等を意味する。また、本実施形態の各構成要素（各処理部）は、単一のプロセッサに限らず、複数のプロセッサによって実現するようにしてもよい。さらに、複数の構成要素（複数の処理部）を、単一のプロセッサによって実現するようにしてもよい。
【０１０１】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【０１０２】
１…医用画像診断装置、２…医用画像表示装置、３…医用画像撮像装置、４…架台、５…ＣＴコンソール、６…ＣＴ用寝台、２１…入力インターフェース（ＩＦ）回路、２２…通信インターフェース（ＩＦ）回路、２３…表示回路、２４…記憶回路、２５…表示装置制御回路、２６…処理回路、４１…高電圧発生器、４２…Ｘ線源、４３…Ｘ線検出器、４４…データ収集回路（ＤＡＳ）、４５…非接触データ伝送回路、４６…架台制御回路、４７…回転フレーム、４８…回転駆動装置、４９…操作パネル、５１…画像再構成回路、５２…入力インターフェース（ＩＦ）回路、５３…通信インターフェース（ＩＦ）回路、５４…表示回路、５５…記憶回路、５６…コンソール制御回路、５７…処理回路、６１…天板、６２…寝台駆動装置。
【図１】
2018068819.tif 000003
【図２】
2018068819.tif 000004
【図３】
2018068819.tif 000005
【図４】
2018068819.tif 000006
【図５】
2018068819.tif 000007
【図６】
2018068819.tif 000008
【図７】
2018068819.tif 000009
【図８】
2018068819.tif 000010
【図９】
2018068819.tif 000011
【図１０】
2018068819.tif 000012
【図１１】
2018068819.tif 000013
【図１２】
2018068819.tif 000014
【図１３】
2018068819.tif 000015
【図１４】
2018068819.tif 000016
【図１５】
2018068819.tif 000017